(57)【要約】【課題】製造コストが低いにもかかわらず、十分な剛性・強度を確保するとともに安全に引出形ユニットの試験調整などができる、部材締結構造の制御盤筐体を得ること。【解決手段】直方体状の制御盤筐体１０１の内部に、この筐体１０１の上下方向中間部に横向きに配置され、左右の側板１，１及び背面部材１４０にリベット１１により締結される横中枠６と、この横中枠６の上方で左右方向中間部に縦向きに配置され、横中枠６、背面部材１４０及び横部材１５０にリベット１１により締結される縦中枠７とを設けた。【選択図】　　　図１
2004087573.tif 000002
【特許請求の範囲】
【請求項１】
前面に扉が取り付けられる開口部を有し、少なくとも左右の矩形の側板と、これら左右の側板の上端部を連結する横部材と、下端部を連結する底板と、後端部を連結する背面部材とから構成され、これら隣接する各部材間を締結部材により締結して直方体状に成形され、制御機器等を収納する制御盤筐体において、
前記筐体の内部の上下方向中間部に横向きに配置され、前記左右の側板及び背面部材に締結部材により締結される横中枠と、前記横中枠の上方で左右方向中間部に縦向きに配置され、前記横中枠、背面部材及び横部材に締結部材により締結される縦中枠とを設けたことを特徴とする制御盤筐体。
【請求項２】
前記横部材は、前記左右の矩形の側板の上端部前側を連結する第１の横部材と、上端部後側を連結する第２の横部材と、前記筐体上面を覆う天板とから成ることを特徴とする請求項１に記載の制御盤筐体。
【請求項３】
前記背面部材は、前記左右の側板の後端より少し内側に配置され背面側に盤内の熱を放熱する放熱フィンが取り付けられた仕切壁と、前記筐体の背面を覆う裏板とから成ることを特徴とする請求項１または２に記載の制御盤筐体。
【請求項４】
前記仕切壁は、両側縁を前方に折り曲げた側面部と、この側面部の縁をさらに内方に折り曲げた内曲げ部とを有し、前記横中枠は、水平平坦部の前後縁を上方に折り曲げた垂直部と、この垂直部の縁をさらに内方に折り曲げた内曲げ部とを有し、前記縦中枠の下面部は、前記横中枠の内曲げ部と締結され、前記横中枠の後側垂直部は、前記仕切壁の内曲げ部と締結されていることを特徴とする請求項１〜３のいずれか一つに記載の制御盤筐体。
【請求項５】
前記縦中枠又は左右の側板の内面には、上下一対のガイドレールと、このガイドレールに係合して前後に移動できるユニットが取り付けられ、前記ガイドレールは縦中枠又は左右の側板の内面と間隙を有するガイド部を有し、前記ユニットを構成するユニットパネルの上下縁には、前記ガイド部の上又は下端に沿って摺動する水平レール部と、前記間隙内に嵌合して摺動する垂直レール部とが形成されていることを特徴とする請求項１〜４のいずれか一つに記載の制御盤筐体。
【請求項６】
前記上側のガイドレールのガイド部には、ストッパ用凹部が形成され、前記ユニットパネルの上部後方には、該ユニットパネルのスロット内を上下に摺動できるストッパが備えられ、このストッパは、前記ユニットの挿入又は引出し操作の途中で、自重により前記ガイド部の凹部内に落下係合してユニットが係止され、持ち上げることにより前記落下係合が解除されるものであることを特徴とする請求項５に記載の制御盤筐体。
【請求項７】
前記ストッパは、前記ユニットパネルとの係合部分に複数の略Ｔ字形の嵌合子が形成され、前記嵌合子は、前記スロットを通してユニットパネルの表側と裏側とに配置され、頭部がひねられてスロットから抜け止めされたストッパであることを特徴とする請求項６に記載の制御盤筐体。
【発明の詳細な説明】
【０００１】
【発明の属する技術分野】
この発明は、放電加工機やレーザ加工機などの工作機械用の制御盤筐体に関し、特に、筐体部材締結構造であるにもかかわらず筐体の剛性・強度が高く、また、収納機器を立体的に実装できるとともに、引出形ユニットの試験調整などが安全・確実にできる制御盤筐体に関するものである。
【０００２】
【従来の技術】
制御盤や配電盤などの直方体状の筐体を、溶接接合によって製作すると、筐体の一方向からのみでは溶接作業をすることができず複数回の筐体の反転作業が必要となり、また溶接焼け（酸化による肌荒れや冷却後の収縮による溶接痕）除去のための研削作業も必要で、生産性が悪いという問題がある。このため近年では、溶接接合ではなくリベット締結による筐体の製作が提案されている。
【０００３】
また、この種の制御盤においては、内部に収納する電子・電気機器（制御機器）は、試験や組立を容易にするために機能別にユニット化される。さらに、各ユニットに取り付けられるプリント基板は、一般的に、実装密度を高めるため奥行き方向に縦置き配置して複数個を横並びに収納する。このプリント基板の試験調整、ケーブル接続及び保守点検を容易にするために、ユニットは引出し形となっている。
【０００４】
【発明が解決しようとする課題】
放電加工機やレーザ加工機などの工作機械用の制御盤のように単独設置されるものでは、背面側に電子機器などを取り付けるための仕切壁が左右の側板の間に配置され、前面側に扉を備えた開口部が形成されているのが一般的である。従って、このような従来の制御盤筐体、特にリベット締結による制御盤筐体では、左右の側板の剛性によって前後方向の剛性・強度は高いものの、前面側に開口部が形成されているため、左右方向の剛性・強度が本質的に低く、また、ねじれに対しても弱いという問題を有している。
【０００５】
また、奥行き方向に縦置き配置されたプリント基板を備える引出し形ユニットは、プリント基板の試験調整などを行うとき、引出し途中状態で作業をすることがあり、ユニットが不用意な移動をしてしまったり、落下してしまうことがあった。
【０００６】
この発明は、上記のような問題に鑑みてなされたもので、十分な剛性・強度を確保することができるとともに、安全に引出し形ユニットの試験調整、ケーブル接続及び保守点検ができる筐体部材締結構造の制御盤筐体を得ることを目的とする。
【０００７】
【課題を解決するための手段】
この発明に係る制御盤筐体は、前面に扉が取り付けられる開口部を有し、少なくとも左右の矩形の側板と、これら左右の側板の上端部を連結する横部材と、下端部を連結する底板と、後端部を連結する背面部材とから構成され、これら隣接する各部材間を締結部材により締結して直方体状に成形され、制御機器等を収納する制御盤筐体において、前記筐体の内部の上下方向中間部に横向きに配置され、前記左右の側板及び背面部材に締結部材により締結される横中枠と、前記横中枠の上方で左右方向中間部に縦向きに配置され、前記横中枠、背面部材及び横部材に締結部材により締結される縦中枠とを設けたことを特徴とするものである。
【０００８】
この発明によれば、直方体状の筐体内部に横中枠と縦中枠を配置し、隣接する部材と締結部材により締結したので、筐体の左右方向の剛性・強度が向上し、ねじれに対する剛性・強度も向上する。
【０００９】
つぎの発明にかかる制御盤筐体は、上記の発明において、前記横部材が、前記左右の矩形の側板の上端部前側を連結する第１の横部材と、上縁部後側を連結する第２の横部材と、前記筐体上面を覆う天板とから成ることを特徴とするものである。
【００１０】
この発明によれば、横部材を第１、第２の横部材と天板の２重構造にしたので、よりいっそう筐体の左右方向及びねじれに対する剛性・強度が向上する。
【００１１】
つぎの発明にかかる制御盤筐体は、上記の発明において、前記背面部材が、前記左右の側板の後端より少し内側に配置され、背面側に盤内の熱を放熱する放熱フィンが取り付けられた仕切壁と、前記筐体の背面を覆う裏板から成ることを特徴とするものである。
【００１２】
この発明によれば、背面部材を仕切壁と裏板の２重構造にしているので、よりいっそう筐体の左右方向及びねじれに対する剛性・強度が向上する。
【００１３】
つぎの発明にかかる制御盤筐体は、上記の発明において、前記仕切壁が、両側縁を前方に折り曲げた側面部と、この側面部の縁をさらに内方に折り曲げた内曲げ部とを有し、前記横中枠は、水平平坦部の前後縁を上方に折り曲げた垂直部と、この垂直部の縁をさらに内方に折り曲げた内曲げ部とを有し、前記縦中枠の下面部は、前記横中枠の内曲げ部と締結され、前記横中枠の後側垂直部は、前記仕切壁の内曲げ部と締結されていることを特徴とするものである。
【００１４】
この発明によれば、仕切壁には、両側縁を前方に折り曲げた側面部と、この側面部の縁をさらに内方に折り曲げた内曲げ部とを設け、横中枠には、水平平坦部の前後縁を上方に折り曲げた垂直部と、この垂直部の縁をさらに内方に折り曲げた内曲げ部とを設け、縦中枠の下端は横中枠の曲げ部と締結し、横中枠の後側垂直部は仕切壁の内曲げ部と締結したので、よりいっそう筐体の左右方向及びねじれに対する剛性・強度が向上するとともに、横中枠は、盤幅全体に亘るケーブルトレイとして利用できる。
【００１５】
つぎの発明にかかる制御盤筐体は、上記の発明において、前記縦中枠又は左右の側板の内側面に、上下一対のガイドレールと、このガイドレールに係合して前後に移動できるユニットが取り付けられ、前記ガイドレールは縦中枠又は左右の側板の内面と間隙を有するガイド部を有し、前記ユニットを構成するユニットパネルの上下縁には、前記ガイド部の上又は下端に沿って摺動する水平レール部と、前記間隙内に嵌合して摺動する垂直レール部とが形成されていることを特徴とするものである。
【００１６】
この発明によれば、縦中枠又は左右の側板の内面側に上下一対のガイドレールを設け、このガイドレールに係合して前後に移動できる縦置きユニットパネルとしたので、プリント基板を主体とするユニット形態に好適な横幅寸法が小さいパネル状の引出しユニットに構成できる。
【００１７】
つぎの発明にかかる制御盤筐体は、上記の発明において、前記上側のガイドレールのガイド部に、ストッパ用凹部が形成され、前記ユニットパネル上部後方には、該ユニットパネルのスロット内を上下に摺動できるストッパが備えられ、このストッパは、前記ユニットの挿入又は引出し操作の途中で、自重により前記ガイド部の凹部内に落下係合してユニットが係止され、持ち上げることにより前記落下係合が解除されるものであることを特徴とするものである。
【００１８】
この発明によれば、上側のガイドレールのガイド部にストッパ用凹部を形成し、ユニットパネル上部後方には、ガイド部の凹部内に落下してユニットパネルを係止するストッパが備えられているので、ユニット引出途中におけるユニットの不用意な移動や落下が防止され、安全に試験調整などの作業ができる。
【００１９】
つぎの発明にかかる制御盤筐体は、上記の発明において、前記ストッパの、前記ユニットパネルとの係合部分に複数の略Ｔ字形の嵌合子が形成され、前記嵌合子は、前記スロットを通してユニットパネルの表側と裏側とに配置され、頭部がひねられてスロットから抜け止めされたストッパを備えていることを特徴とするものである。
【００２０】
この発明によれば、ストッパは、ユニットパネルの表側と裏側の両側に配置されユニットパネルスロット内に挿入後に頭部をひねることによりスロットから抜け止めされる複数の略Ｔ字形の嵌合子によって、上下に摺動できるように係止されるので、簡単に組み立てでき、小形安価に構成できる。
【００２１】
【発明の実施の形態】
以下、図１〜図８を参照して、この発明の制御盤筐体の実施の形態を説明する。図１は扉と天板を取り除いた状態の制御盤筐体を示す斜視図、図２は天板を取り除いた状態の一部破断上面図、図３はユニットが引き出し途中の状態を示す上部縦断面図、図４は図３のストッパ部分の拡大図、図５はユニットの正面から一部破断して見たストッパ部分の拡大図、図６はストッパの形状を示す拡大図、図７は図５に対応してストッパ係合状態を示す拡大図、図８はガイドレールとユニットパネルの構造を示す斜視図である。
【００２２】
制御盤筐体１０１の左右の側面部は、それぞれ一枚の鋼板の上下前後を内側に折り曲げて製作された矩形の側板１、１で構成されている。制御盤筐体１０１の上面部は、左右の側板１、１の上端前側を連結する第１の横部材２と、左右の側板１、１の上端後側を連結する第２の横部材３と、筐体上面の開口部を覆う天板１５とから構成されている。ここで第１の横部材２と第２の横部材３と天板１５を総称して横部材ということにする。制御機器ユニットの制御盤内への組込時に、天板１５を取り外し、クレーン等で筐体の上面開口から吊り込む必要がなければ、第１、第２の横部材を省き、はじめから天板１５のみで横部材１５０を構成することも可能である。
【００２３】
制御盤筐体１０１の下面部は、左右の側板１、１の下端部を連結する底板４で構成され、背面部は、左右の側板１、１の後端部より少し内側で側板１，１を連結する仕切壁５と筐体背面を覆う裏板１４とで構成されている。ここで仕切壁５と裏板１４を総称して背面部材１４０ということにする。収納される制御機器などが少なく、また制御機器の発熱量も少ない場合には、仕切壁を省き裏板１４のみで背面部材を構成してもよい。隣接する部材同士はリベット締結され、筐体１０１は直方体状に形成されている。
【００２４】
本実施の形態では、制御盤筐体１０１の左右方向の剛性・強度を確保するために、筐体内部の上下方向中間部に横向きに配置され、左右の側板１，１および仕切壁５（背面部材１４０）に締結される横中枠６を設け、さらに横中枠６の上方で左右方向中間部に縦向きに配置され、横中枠６、仕切壁５（背面部材１４０）、第２の横部材３及び第１の横部材２（横部材１５０）に締結される縦中枠７とを設けている。前面開口部を塞ぐために扉８が備えられている。
【００２５】
側板１、１には、前縁を内方に折り曲げて筐体前面開口部の前面フランジの一部を構成する側板前面部１Ａ、１Ａが形成されている。また、さらに剛性を増すために側板前面部１Ａ、１Ａ端縁を内側に折り曲げて側板内曲げ部１Ｂ、１Ｂが形成されている。側板１、１の後縁には背面開口部の背面フランジの一部を構成する側板背面部１Ｃ、１Ｃが折り曲げ形成されている。また、側板１、１の上縁を内方に折り曲げて側板上面部１Ｄ、１Ｄが水平に形成されている。側板１、１の下端には、底板４とリベット締結するための側板下面部１Ｅ、１Ｅが形成されている。
【００２６】
第１の横部材２は、側板上面部１Ｄ、１Ｄ内面に密着する水平部２Ａと、側板前面部１Ａ、１Ａ内面に密着する垂直部２Ｂと、反対側の第２の垂直部２Ｃとから成る略コ字形断面に折り曲げ成形されている。水平部２Ａの両側端縁を折り曲げて側面部２Ｄ、２Ｄが形成され、左右の側板１、１の上端前側とリベット締結されている。
【００２７】
第２の横部材３は、側板上面部１Ｄ、１Ｄ内面に接する水平部３Ａと、側板背面部１Ｃ、１Ｃ内面に接する垂直部３Ｂとから成る略Ｌ字形断面に成形され、水平部３Ａには複数個の放熱用角穴３Ｈが穿設されている。上記水平部３Ａの両側端縁を折り曲げて側面部３Ｃ、３Ｃが形成され、左右の側板１、１の上端後側とリベット締結されている。
【００２８】
１５は、前後縁を下方に折り曲げた天板で、左右の側板１、１の側板上面部１Ｄ、１Ｄと、第１の横部材２及び第２の横部材３を覆うように配設されている。天板１５の後方部には、放熱用角穴３Ｈに対応する位置に多数の放熱口（図示せず）が並設されている。また、本実施の形態では、天板１５は、筐体１０１のリベット締結組立及び塗装の終了後に組み付けられ、その四隅を吊ボルト１２によって筐体１０１の上面に締結される。
【００２９】
５は、制御盤筐体１０１の背面寄りに配設される仕切壁で、その背面側に盤内の熱を放熱するための放熱フィン１３が取り付けられる。上記仕切壁５は、左右の側板１、１内面に接する側面部５Ａ，５Ａと、第２の横部材３の水平部３Ａ内面に接する上面部５Ｂと、底板４内面に接する下面部５Ｃとが前方側に折り曲げ成形され、それぞれ隣接する部材とリベット締結されている。５Ｄ、５Ｄは側面部５Ａ、５Ａから折り曲げられた内曲げ部で、後述するように横中枠６との締結や配線ダクトとして使用され、筐体の剛性・強度の向上にも寄与する。
【００３０】
裏板１４は、左右の側板１、１の側板背面部１Ｃ、１Ｃと、第２の横部材３の垂直部３Ｂと底板４の背面垂直部（図示せず）とを覆うように取り付けられ、隣接する部材とリベット締結される。
【００３１】
横中枠６は、水平平坦部６Ａの前後縁を上方に折り曲げた垂直部６Ｂ、６Ｂと、この垂直部６Ｂ、６Ｂの縁をさらに内方に折り曲げた内曲げ部６Ｃ、６Ｃと、垂直部６Ｂ、６Ｂの両側端を内方に折り曲げた側面部６Ｄ、６Ｄ、…とを有し、この左右側面部６Ｄ、６Ｄ、…は、左右の側板１、１の平坦部１Ｐ、１Ｐとリベット１１で締結されている。また、後方の垂直部６Ｂは、前記仕切壁５の内曲げ部５Ｄ、５Ｄとリベット１１で締結されている。
【００３２】
縦中枠７は、少なくとも第１の横部材２の第２の垂直部２Ｃと締結される前面部７Ａと、仕切壁５と締結される背面部７Ｂと、第２の横部材３の水平部３Ａと締結される上面部７Ｃと、横中枠６の内曲げ部６Ｃ、６Ｃと締結される下面部７Ｄとを有している。上記各締結はリベット１１を使用して成されている。なお、横中枠６の水平平坦部６Ａに穿設された貫通穴６Ｊ（図２）は、横中枠６の内曲げ部６Ｃ、６Ｃと縦中枠７の下面部７Ｄとのリベット締結のために設けられている。
【００３３】
前面開口部に備えられる扉８は、筐体１０１上面前隅部に取り付けられた上ヒンジ９と、底板４前隅部に取り付けられた下ヒンジピン（図示せず）によって回動開閉自在に支持される。なお、１０は底板４に固着された下フランジで、扉８の下部当たりを構成している。
【００３４】
左右の側板１、１の上下方向中間は、横中枠６の前後垂直部６Ｂ、６Ｂと一体に曲げ形成された側面部６Ｄ、６Ｄ、…によって連結され、さらに横中枠６は、後方の垂直部６Ｂによって仕切壁５の内曲げ部５Ｄ、５Ｄと締結されているので、上記左右の側板１、１、横中枠６、仕切壁５が上下方向の筐体中間において一体化され、筐体１０１の左右方向の剛性・強度が向上でき、ねじれに対する剛性・強度も向上できる。また、縦中枠７によって、第１及び第２の横部材２、３と横中枠６と仕切壁５とが左右方向の筐体中間において一体化され、強度がさらに向上できる。
【００３５】
また、左右の側板１、１の上端前後は、第１及び第２の横部材２，３の両側端部の互いに直角を成す３面に接してリベット締結結合されるので、左右の側板１、１の結合強度が強固にできる。これによっても、開口部が形成されていて本質的に弱い左右方向の筐体強度が向上でき、ねじれに対する剛性・強度も向上できる。同時に、筐体１０１全体の直角度も確保され精度の高いものにできる。
【００３６】
次に引出形ユニット１０２について説明する。通常、制御盤筐体１０１内には複数台のユニットが収納されるが、図１〜図３においては、便宜上、縦中枠７に取り付けられた１台のみが図示されている。ユニットが複数台のときは、左右の側板１、１の内面にも取り付けられる。
【００３７】
縦中枠７の右側面の平坦部７Ｐには、上下一対のガイドレール１６、１６が小形のリベット１７によって締結されている。ガイドレール１６、１６は平坦部７Ｐと間隙を有するガイド部１６Ａ、１６Ａが段付きに折り曲げ形成されている。このガイドレール１６、１６に沿って引出形ユニット１０２のユニットパネル２１が挿入及び引出される。ユニットが複数台のときは、左右の側板１、１の内面にも上下一対のガイドレール１６、１６が小形のリベット１７によって締結される。
【００３８】
ユニットパネル２１の上縁部及び下縁部はガイドレール１６、１６側に袋曲げされて、一対の水平レール部２１Ｂ、２１Ｂ及び垂直レール部２１Ｃ、２１Ｃが成形され、垂直レール部２１Ｃ、２１Ｃは、縦中枠平坦部７Ｐとガイド部１６Ａ、１６Ａとの間隙内に嵌合して、挿入及び引出時のユニット１０２の脱落が防止される。挿入の最終位置で、ユニットパネル２１の前面部２１Ａは、縦中枠前面部７Ａに固定ねじ２４により固定される。
【００３９】
ユニットパネル２１の後端には、背面部２１Ｄが折り曲げ形成され、垂直レール部２１Ｃ、２１Ｃと背面部２１Ｄの端部とでガイドレール１６、１６のガイド部１６Ａ、１６Ａを摺動できるように挟み込んでいる。ガイドレール１６、１６が段付きに折り曲げ形状に形成されているので曲げ剛性が高く、ガイドレール１６、１６を縦中枠７の左側面（平坦部７Ｐが離れていて、ガイドレール中間部をリベット締結できない側面）に取り付けた状態でも、引出途中におけるユニットパネル２１の横振れが防止される。
【００４０】
ユニットパネル２１には、プリント基板２２や図示してない電気部品などが取り付けられる。このプリント基板２２は、奥行き方向縦向きに配置されることになり、横幅寸法が小さいパネル状の引出し形ユニット１０２に構成でき、横方向に他のユニット機器を並置できるので盤内の実装密度を高めることができる。
【００４１】
しかしながら、上記のようにプリント基板を配置すると、プリント基板２２の試験調整、ケーブル接続及び保守点検は、ユニット１０２を引き出した状態で行わねばならない。特にプリント基板２２の後方に配置された部品の試験調整、ケーブル接続及び保守点検は、図３に示すような引出途中位置で行う必要がある。
【００４２】
ユニットパネル２１の上部後方には、縦方向の第１のスロット２１Ｅと第２のスロット２１Ｆが穿設され、このスロットには、ストッパ２３が上下方向に摺動可能に嵌合されている。ストッパ２３は、図６に示すように、平板から切り抜き加工されたもので、ユニットパネル２１上端より上側に位置する操作部２３Ａが形成され、ここに操作方向を示す矢印穴２３Ｂが穿設されている。操作部２３Ａの下端部は、係止部２３Ｃを構成し、この係止部２３Ｃは、ユニット１０２の挿入・引出時は、水平レール部２１Ｂ及び垂直レール部２１Ｃまで連続して穿設された第１のスロット２１Ｅ内に位置し、ガイド部１６Ａの上端縁を滑ってユニットパネル２１と共に移動できる。
【００４３】
係止部２３Ｃの下には、略Ｔ字形の第１嵌合子２３Ｄが形成され、第１のスロット２１Ｅからユニットパネル２１の裏側（プリント基板２２の取付面と反対側）に飛び出るようになっている。第１嵌合子２３Ｄの下方には、同様の第２嵌合子２３Ｅが第１嵌合子２３Ｄとは逆向きに形成され、第２のスロット２１Ｆからユニットパネル２１の表側（プリント基板２２の取付面側）に飛び出るようになっている。第２嵌合子２３Ｅの下方には、同様の第３嵌合子２３Ｆが第１嵌合子２３Ｄと同じ向きに形成され、第２のスロット２１Ｆからユニットパネル２１の裏側に飛び出るようになっている。これらの各嵌合子２３Ｄ、２３Ｅ、２３Ｆは、第１、第２のスロット２１Ｅ、２１Ｆ内に挿入した後、Ｔ字形の頭部を３０°程度ひねっておくことによりスロットから抜け止めされている。
【００４４】
ガイドレール１６、１６の前方上端には凹部１６Ｂが形成されており、引出し形ユニット１０２を引き出すと、ストッパ２３が凹部１６Ｂの位置に来たとき自然落下し、図７に示すように係止部２３Ｃが凹部１６Ｂ内に落ち、引出形ユニット１０２は係止される。これにより、不用意な移動や落下が防止され、安全に試験調整などの作業を行うことができる。凹部１６Ｂと係合状態のストッパ２３は、操作部２３Ａをつまみ上げて第２嵌合子２３Ｅの首部が第２のスロット２１Ｆ上端縁に当たるまで移動することができる。この移動距離を、図７のＳで示す。この状態で凹部１６Ｂと係止部２３Ｃとの係合が外れ、引出形ユニット１０２はガイドレール１６に沿って移動できる。
【００４５】
次に引出形ユニット１０２へのケーブル引き込みについて説明する。外部からのケーブル（図示せず）は、左側の側板１の下方に穿設されたケーブル穴１Ｈから盤内に引き込まれる。このケーブルは横中枠６に穿設されたケーブル穴６Ｈから水平平坦部６Ａ上面に引き込まれ、縦中枠７の下面部７Ｄの下を潜ってプリント基板２２に配線接続される。また、縦中枠７の左側と右側との間を配線接続する盤内ケーブルも縦中枠７の下面部７Ｄの下を潜って配線できる。このように横中枠６の水平平坦部６Ａはケーブルトレイとしても機能する。また、横中枠６、縦中枠７によって盤内が仕切られるとともに、これらの部材を利用してユニット取付けや配線処理ができるので、収納機器を立体的に配置することができ、盤内実装密度を向上することができる。
【００４６】
なお、本実施の形態では、各部材の締結手段としてリベットを用いているが、締結手段は、ボルト・ナットを用いてもよい。
【００４７】
【発明の効果】
以上説明したように、この発明によれば、直方体状の筐体内部に横中枠と縦中枠を配置し、隣接する部材と締結部材により締結したので、筐体の左右方向の剛性・強度を向上することができ、ねじれに対する剛性・強度も向上することができる。
【００４８】
つぎの発明によれば、横部材を第１、第２の横部材と天板の２重構造にしたので、よりいっそう筐体の左右方向及びねじれに対する剛性・強度を向上することができる。
【００４９】
つぎの発明によれば、背面部材を仕切壁と裏板の２重構造にしているので、よりいっそう筐体の左右方向及びねじれに対する剛性・強度を向上することができる。
【００５０】
つぎの発明によれば、仕切壁には、両側縁を前方に折り曲げた側面部と、この側面部の縁をさらに内方に折り曲げた内曲げ部とを設け、横中枠には、水平平坦部の前後縁を上方に折り曲げた垂直部と、この垂直部の縁をさらに内方に折り曲げた内曲げ部とを設け、縦中枠の下端は横中枠の内曲げ部と締結し、横中枠の後側垂直部は仕切壁の内曲げ部と締結したので、よりいっそう筐体の左右方向及びねじれに対する剛性・強度を向上することができるとともに、横中枠は盤幅全体に亘るケーブルトレイとして利用できる。
【００５１】
つぎの発明によれば、縦中枠又は左右側板の内側面に上下一対のガイドレールを設け、このガイドレールに係合して前後に移動できる縦置きユニットパネルとしたので、プリント基板を主体とするユニット形態に好適な横幅寸法が小さいパネル状の引出しユニットに構成できる。
【００５２】
つぎの発明によれば、上側のガイドレールのガイド部にストッパ用凹部を形成し、ユニットパネル上部後方には、ガイド部の凹部内に落下してユニットパネルを係止するストッパが備えられているので、ユニット引出途中におけるユニットの不用意な移動や落下が防止でき、安全に試験調整などの作業を行うことができる。
【００５３】
つぎの発明によれば、ストッパは、ユニットパネルの表側と裏側とに配置されユニットパネルスロット内に挿入後に頭部をひねることによりスロットから抜け止めされる複数の略Ｔ字形の嵌合子によって、上下に摺動できるように係止できるので、簡単に組み立てでき、小形安価に構成できる。
【図面の簡単な説明】
【図１】この発明の実施態様を示す、扉と天板を取り除いた状態の制御盤筐体の斜視図である。
【図２】天板を取り除いた状態の一部破断上面図である。
【図３】ユニットが引き出し途中の状態を示す上部縦断面図である。
【図４】図３のストッパ部分の拡大図である。
【図５】ユニットの正面から一部破断して見たストッパ部分の拡大図である。
【図６】ストッパの形状を示す拡大図である。
【図７】図５に対応してストッパ係合状態を示す拡大図である。
【図８】ガイドレールとユニットパネルの構造を示す斜視図である。
【符号の説明】
１　側板、１Ａ　側板前面部、１Ｂ　側板内曲げ部、１Ｃ　側板背面部、１Ｄ側板上面部、１Ｅ　側板下面部、２　第１の横部材、２Ａ　水平部、２Ｂ　垂直部、２Ｄ　側面部、３　第２の横部材、３Ａ　水平部、３Ｂ　垂直部、３Ｃ　側面部、４　底板、５　仕切壁、５Ａ　側面部、５Ｂ　上面部、５Ｃ　下面部、５Ｄ　内曲げ部、６　横中枠、６Ａ　水平平坦部、６Ｂ　垂直部、６Ｃ　内曲げ部、６Ｄ　側面部、７　縦中枠、７Ａ　前面部、７Ｂ　背面部、７Ｃ　上面部、７Ｄ　下面部、８　扉、１１　リベット、１４　裏板、１４０　背面部材、１５　天板、１５０　横部材、１６　ガイドレール、１６Ａ　ガイド部、１６Ｂ　凹部、２１　ユニットパネル、２１Ｂ　水平レール部、２１Ｃ　垂直レール部、２２プリント基板、２３　ストッパ、２３Ａ　操作部、２３Ｃ　係止部、２３Ｄ　第１嵌合子、２３Ｅ　第２嵌合子、２３Ｆ　第３嵌合子。
【図１】
2004087573.tif 000003
【図２】
2004087573.tif 000004
【図３】
2004087573.tif 000005
【図４】
2004087573.tif 000006
【図５】
2004087573.tif 000007
【図６】
2004087573.tif 000008
【図７】
2004087573.tif 000009
【図８】
2004087573.tif 000010